(57)【要約】【課題】  第１の蓄積手段と第２の蓄積手段を持つ撮像装置において、第２の蓄積手段に記録した第２の画像データの位置を、第１の蓄積手段から得ることができる、操作性の良い撮像装置を実現する。【解決手段】  第２の画像データを第２の蓄積手段に蓄積する際に、第２の画像データを蓄積した位置を示す位置情報を第１の蓄積手段に蓄積する。【選択図】        図３
2007013392.tif 000002
【特許請求の範囲】
【請求項１】
第１の画像データを蓄積する第１の蓄積手段と、
第２の画像データを蓄積する第２の蓄積手段と、
第２の画像データを第２の蓄積手段に蓄積する際に、第２の画像データを蓄積した位置を示す位置情報を第１の蓄積手段に蓄積するように制御する蓄積制御手段と、
を有することを特徴とする撮像装置。
【請求項２】
前記蓄積制御手段は、第２の画像データを第２の蓄積手段に蓄積する際に、第２の画像データを代表する画像の縮小画像データを作成し、前記縮小画像データと前記第２の画像データの位置情報を含む縮小画像ファイルとして第１の蓄積手段に蓄積するように制御することを特徴とする請求項１に記載の撮像装置。
【請求項３】
前記蓄積制御手段は、第２の画像データと前記位置情報を対応させる固有のＩＤ情報を第２の画像データと前記位置情報に記録することを特徴とする請求項１又は２に記載の撮像装置。
【請求項４】
前記蓄積制御手段は、前記ＩＤ情報を第２の画像データから生成することを特徴とする請求項３に記載の撮像装置。
【請求項５】
前記第１の蓄積手段は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格で標準化されたディレクトリ構成に係るファイルにデータを蓄積することを特徴とする請求項１〜４の何れかに記載の撮像装置。
【請求項６】
前記第２の蓄積手段は、前記撮像装置と接続可能な記憶媒体により構成されていることを特徴とする請求項１〜５の何れかに記載の撮像装置。
【請求項７】
前記位置情報を指定する指定手段と、
前記第２の蓄積手段内の画像データを再生出力する再生出力手段を有し、
前記指定手段により指定された前記位置情報に基づいて、前記第２の蓄積手段内の画像データを再生出力することを特徴とする請求項１〜６の何れかに記載の撮像装置。
【請求項８】
前記縮小画像ファイルの縮小画像を再生する縮小画像再生手段を有し、
前記指定手段により指定された前記縮小画像ファイルに含まれる位置情報に基づいて、前記第２の蓄積手段内の画像データを再生出力することを特徴とする請求項１〜７の何れかに記載の撮像装置。
【請求項９】
前記位置情報に記録されたＩＤ情報と、前記位置情報に対応する前記第２の蓄積手段内の第２の画像データに記録されたＩＤ情報が一致することを判定するＩＤ情報判定手段を有することを特徴とする請求項１〜７の何れかに記載の撮像装置。
【請求項１０】
前記再生出力手段は前記ＩＤ情報判定手段の結果に基づいて前記第２の蓄積手段内の第２の画像データを再生出力することを特徴とする請求項９に記載の撮像装置。
【発明の詳細な説明】
【技術分野】
【０００１】
本発明は、撮像装置に関する。より詳しくは規格の異なる画像ファイルを設定変更などの手間をかけずに利用できるようにした撮像装置に関する。
【背景技術】
【０００２】
一般的なデジタルカメラでは静止画や動画等のファイルをＳＤカード（Ｓｅｃｕｒｅ  Ｄｉｇｉｔａｌ  ｍｅｍｏｒｙ  ｃａｒｄ）やＣＦカード（Ｃｏｍｐａｃｔ  Ｆｌａｓｈ  ｃａｒｄ）、メモリースティックなどの記録媒体に保存する。デジタルカメラは、種々の製造メーカにより複数の機種が製造されるため、製造メーカ毎にファイルの保存場所や各種ファイルの規格が異なると複数の機種間において記録したファイルの互換性を保つことができない。そこで、ファイルを保存する際に、各種の規格に準拠したフォルダにファイルを保存することになる。
【０００３】
デジタルカメラなどにおいて、記録媒体等に画像ファイルを記録、再生する際の共通規格であるＤＣＦ（Ｄｅｓｉｇｎ  ｒｕｌｅ  ｆｏｒ  Ｃａｍｅｒａ  Ｆｉｌｅ  ｓｙｓｔｅｍ）規格は、記録媒体等に画像ファイルを記録する際、ディレクトリ構造やデータ記録方式等の規格が各製造メーカ間に共通になるように規定されている。このため、ＤＣＦ規格に対応した機器同士であれば、製造メーカや機種が異なっていても画像ファイルを交換可能である。
【０００４】
一方、ＳＤカードやＣＦカード、メモリースティックなどの記録媒体はデジタルカメラだけに利用されるものではなく、パソコンやＤＶＤ（Ｄｉｇｉｔａｌ  Ｖｉｄｅｏ  Ｄｉｓｋ）レコーダなどの記録媒体としても利用されている。たとえば、ＤＶＤレコーダなどでは動画を記録、再生する目的でＳＤカードが利用されている。この場合もデジタルカメラの場合と同様に、記録したファイルの互換性の問題があるが、ＤＣＦ規格はデジタルカメラでの使用を主目的に規格制定されたものであるため、長時間の動画像の記録、再生には適さない面がある。そのため、動画をＳＤカードに記録する際の共通規格ＳＤ−Ｖｉｄｅｏ規格が制定されている。
【０００５】
また、ＤＣＦ規格に準拠したデジタルカメラの使い勝手を改善する目的で、記録媒体にＤＣＦ規格以外のフォルダやファイルを作成、記録し、使い勝手を改善する提案がなされている。
【０００６】
たとえば、不要な画像ファイルを記録媒体上のＤＣＦ規格を満足しないフォルダに記録することにより、デジタルカメラでの再生と編集を容易にする方法が提案されている。（例えば、特許文献１参照）
また、ＤＣＦ規格に準拠したデジタルカメラにおいて、ＤＣＦ規格以外に別名管理ファイルを用意し、ＤＣＦ規格のフォルダー名に別名を付けて管理を容易にする方法が提案されている。（例えば、特許文献２参照）
【特許文献１】特開２００４−２９９００８号公報
【特許文献２】特開２００４−１７１３８８号公報
【発明の開示】
【発明が解決しようとする課題】
【０００７】
近年、デジタルカメラでも長時間の動画記録が可能になり、記録した動画像を家庭のＤＶＤ（Ｄｉｇｉｔａｌ  Ｖｉｄｅｏ  Ｄｉｓｋ）レコーダ等の機器で再生して鑑賞したい、という要望が多くなってきた。しかしながら、前述のようにデジタルカメラと同じ記録媒体を利用可能なＤＶＤレコーダ等の機器であっても、ファイルを記録、再生する規格が異なっているため再生できない。
【０００８】
このような問題に対応するために、ＤＣＦ規格に準拠したデジタルカメラにおいても、動画記録をＳＤ−Ｖｉｄｅｏ規格など他の規格に対応させて、ＳＤカードなどの記録媒体に記録、再生することは可能である。
【０００９】
しかしながら、デジタルカメラにおいて、ＳＤ−Ｖｉｄｅｏ規格で記録した動画ファイルの再生を行う際は、ユーザーは通常用いられるＤＣＦ規格に基づいて行われる再生を、ＳＤ−Ｖｉｄｅｏ規格に基づくように切り替える必要がある。すなわち、ユーザーは通常用いられるＤＣＦ規格による再生では、ＳＤ−Ｖｉｄｅｏ規格で記録した動画を検索したり表示することができないため、動画ファイルの再生、編集の度に、デジタルカメラの設定を切り替える必要があった。
【００１０】
また、逆にＳＤ−Ｖｉｄｅｏ規格に基づいて再生する場合は、ＤＣＦ規格に基づいて記録された静止画を検索したり、表示することができない。このように、デジタルカメラでＤＣＦ規格に基づいて記録した静止画とＳＤ−Ｖｉｄｅｏ規格で記録した動画を一元的に管理することができないため、目的とする動画を検索して再生したり、編集するのが困難であった。たとえば、記録媒体の記録容量の残量が少なくなった時など、不要なファイルを選択して削除することが大変面倒であった。
【００１１】
また、より長時間の記録のために、デジタルカメラにセットされた記録媒体に記録せずに、デジタルカメラに有線または無線で接続されたハードディスクやサーバーなどの大容量の記録媒体に記録することも行われるようになってきた。このようなとき、ハードディスクやサーバーなどに動画を記録する際に、動画の記録に適した、たとえばＳＤ−Ｖｉｄｅｏ規格で記録すると、記録媒体に記録する場合と同様にデジタルカメラで目的とする動画を検索して再生したり、編集するのが困難になる問題がある。
【００１２】
本発明は、上記課題に鑑みてなされたものであって、複数種類の規格設定が可能な撮像装置において、画像記録時と画像再生時とで設定された規格が異なっていても、設定を変更せずに記録画像を再生することが可能な、操作性の良い撮像装置を提供することを目的とする。
【課題を解決するための手段】
【００１３】
本発明の目的は、下記構成により達成することができる。
【００１４】
（請求項１）
第１の画像データを蓄積する第１の蓄積手段と、
第２の画像データを蓄積する第２の蓄積手段と、
第２の画像データを第２の蓄積手段に蓄積する際に、第２の画像データを蓄積した位置を示す位置情報を第１の蓄積手段に蓄積するように制御する蓄積制御手段と、
を有することを特徴とする撮像装置。
【００１５】
（請求項２）
前記蓄積制御手段は、第２の画像データを第２の蓄積手段に蓄積する際に、第２の画像データを代表する画像の縮小画像データを作成し、前記縮小画像データと前記第２の画像データの位置情報を含む縮小画像ファイルとして第１の蓄積手段に蓄積するように制御することを特徴とする請求項１に記載の撮像装置。
【００１６】
（請求項３）
前記蓄積制御手段は、第２の画像データと前記位置情報を対応させる固有のＩＤ情報を第２の画像データと前記位置情報に記録することを特徴とする請求項１又は２に記載の撮像装置。
【００１７】
（請求項４）
前記蓄積制御手段は、前記ＩＤ情報を第２の画像データから生成することを特徴とする請求項３に記載の撮像装置。
【００１８】
（請求項５）
前記第１の蓄積手段は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格で標準化されたディレクトリ構成に係るファイルにデータを蓄積することを特徴とする請求項１〜４の何れかに記載の撮像装置。
【００１９】
（請求項６）
前記第２の蓄積手段は、前記撮像装置と接続可能な記憶媒体により構成されていることを特徴とする請求項１〜５の何れかに記載の撮像装置。
【００２０】
（請求項７）
前記位置情報を指定する指定手段と、
前記第２の蓄積手段内の画像データを再生出力する再生出力手段を有し、
前記指定手段により指定された前記位置情報に基づいて、前記第２の蓄積手段内の画像データを再生出力することを特徴とする請求項１〜６の何れかに記載の撮像装置。
【００２１】
（請求項８）
前記縮小画像ファイルの縮小画像を再生する縮小画像再生手段を有し、
前記指定手段により指定された前記縮小画像ファイルに含まれる位置情報に基づいて、前記第２の蓄積手段内の画像データを再生出力することを特徴とする請求項１〜７の何れかに記載の撮像装置。
【００２２】
（請求項９）
前記位置情報に記録されたＩＤ情報と、前記位置情報に対応する前記第２の蓄積手段内の第２の画像データに記録されたＩＤ情報が一致することを判定するＩＤ情報判定手段を有することを特徴とする請求項１〜７の何れかに記載の撮像装置。
【００２３】
（請求項１０）
前記再生出力手段は前記ＩＤ情報判定手段の結果に基づいて前記第２の蓄積手段内の第２の画像データを再生出力することを特徴とする請求項９に記載の撮像装置。
【発明の効果】
【００２４】
請求項１に記載の発明によれば、第２の画像データを第２の蓄積手段に蓄積する際に、第２の画像データを蓄積した位置を示す位置情報を第１の蓄積手段に蓄積するので、第２の蓄積手段を検索しなくても、第１の蓄積手段から第２の画像データの位置情報を得ることが可能な、操作性の良い撮像装置を提供できる。
【００２５】
請求項２に記載の発明によれば、第２の画像データを第２の蓄積手段に蓄積する際に、第２の画像データを代表する画像の縮小画像データを作成し、前記縮小画像データと前記第２の画像データの位置情報とを含む縮小画像ファイルとして第１の蓄積手段に蓄積するので、第１の蓄積手段から第２の画像データを容易に検索可能な操作性の良い撮像装置を提供できる。
【００２６】
請求項３に記載の発明によれば、第２の画像データと位置情報を対応させる固有のＩＤ情報を第２の画像データと位置情報に記録するので、位置情報と第２の画像データとを固有に関係付けることができる、操作性の良い撮像装置を提供できる。
【００２７】
請求項４に記載の発明によれば、前記ＩＤ情報は、第２の画像データから生成されているので、短時間でＩＤ情報を生成可能な、操作性の良い撮像装置を提供できる。
【００２８】
請求項５に記載の発明によれば、前記第１の蓄積手段は、ＤＣＦ（Ｄｅｓｉｇｎ  ｒｕｌｅ  ｆｏｒ  Ｃａｍｅｒａ  Ｆｉｌｅ  ｓｙｓｔｅｍ）規格で標準化されたディレクトリ構成に係るファイルにデータを蓄積するので、ＤＣＦ規格に対応した機器同士であれば、製造メーカや機種が異なっていても画像ファイルを交換可能な汎用性の高い撮像装置を提供できる。
【００２９】
請求項６に記載の発明によれば、前記第２の蓄積手段は、前記撮像装置と接続した記憶媒体で構成されているので、撮像装置の第１の蓄積手段に蓄積された位置情報から外部の記憶媒体に蓄積した画像データを検索できる、操作性の良い高機能な撮像装置を提供できる。
【００３０】
請求項７に記載の発明によれば、指定手段により指定された位置情報に基づいて、第２の蓄積手段内の画像データを再生出力するので、画像データの指定と再生が容易な、操作性の良い撮像装置を提供できる。
【００３１】
請求項８に記載の発明によれば、指定手段により指定された縮小画像ファイルに含まれる位置情報に基づいて、前記第２の蓄積手段内の画像データを再生出力するので、画像データの指定と再生が容易な、操作性の良い撮像装置を提供できる。
【００３２】
請求項９に記載の発明によれば、前記位置情報に記録されたＩＤ情報と、前記位置情報に対応する前記第２の蓄積手段内の第２の画像データに記録されたＩＤ情報が一致することを判定するＩＤ情報判定手段を有するので、位置情報に記録されたＩＤ情報を持つ画像データであることを確認できる、信頼性の高い撮像装置を提供できる。
【００３３】
請求項１０に記載の発明によれば、前記再生出力手段は前記ＩＤ情報判定手段の結果に基づいて前記第２の蓄積手段内の第２の画像データを再生出力するので、位置情報に記録されたＩＤ情報を持つ画像データだけを再生できる、操作性の良い撮像装置を提供できる。
【発明を実施するための最良の形態】
【００３４】
以下、図面に基づき本発明の実施形態を説明する。
【００３５】
まず、本発明の実施形態について、図１を用いて説明する。
【００３６】
図１は、本発明の実施形態に係るカメラ１の一例を示す外観図である。同図（ａ）はカメラ１前面の斜視図、同図（ｂ）はカメラ１背面の斜視図である。
【００３７】
同図（ａ）において、１００はレンズ鏡胴であり、内部にはズーム撮像光学系が内包されている。１１１はファインダ窓、１１２はレリーズボタン、１１３はフラッシュ発光部、１１４は調光用センサ窓、１１５はストラップ取り付け部、１１６は外部入出力端子（例えば、ＵＳＢ端子）である。１１７はスライドバリアであり、開状態で図示のようにレンズ鏡胴１００は撮影可能状態となり、閉方向へ少し移動させることでレンズ鏡胴１００は沈胴する。すなわち、スライドバリア１１７の開閉に連動してカメラ１は起動状態になる。
【００３８】
２１２はハードディスクであり、外部入出力端子１１６にＵＳＢケーブルで接続することにより、デジタルカメラの外部記録媒体として機能する。なお、ハードディスク２１２は内蔵する電池により駆動される。
【００３９】
レリーズボタン１１２はその１段の押し込みによりカメラ１の撮影準備動作、即ち焦点合わせ動作や測光動作が行われ、その２段の押し込みにより撮影露光動作が行われる。
【００４０】
同図（ｂ）において、１２０はファインダ接眼部、１２１は赤と緑の表示ランプであり、ＡＦやＡＥの情報を、点灯もしくは点滅により撮影者に表示するものである。１２２はズームボタンであり、ズームアップ、ズームダウンをおこなうボタンである。１２３はメニュー／セットボタン、１２４は選択ボタンで４方向スイッチであり、１２５は画像表示部であり画像やその他文字情報等を表示する。メニュー／セットボタン１２３で、画像表示部１２５上に各種のメニューを表示させ、選択ボタン１２４で選択し、メニュー／セットボタン１２３で確定させる機能を有している。操作者は画像表示部１２５上に表示されるメニューから静止画モード、動画モードなどの撮影モードを選択ボタン１２４で選択し、メニュー／セットボタン１２３で確定させることで撮影モードを選択できる。撮影後に動画ファイルを内蔵する記録媒体に記録するか、またはデジタルカメラ１に接続した記録媒体に記録するのか、も同様に画像表示部１２５上に表示されるメニューから設定できる。
【００４１】
また、再生時には操作者が画像表示部１２５上に表示される縮小画像や文字を選択ボタン１２４で選択し、メニュー／セットボタン１２３で確定させることで、再生や編集する画像を選択できる。メニュー／セットボタン１２３は本発明の実施形態における指定手段である。
【００４２】
１２６は再生ボタンで、撮影した画像の再生をおこなうボタンである。１２７はディスプレイボタンで、画像表示部１２５に表示された画像やその他文字情報の表示や消去を選択するボタンである。１２８は消去ボタンで、撮影記録した画像の消去をおこなうボタンである。１２９は三脚穴、１３０は電池／カード蓋である。電池／カード蓋１３０の内部には、本カメラの電源を供給する電池と、撮影した画像を記録するカード用のスロットが備えられており、電池及び画像を記録するＳＤカードなどのカード型の記録媒体である図示せぬメモリカード２５が挿脱可能になっている。
【００４３】
図２は、本発明に係る撮像装置として機能するカメラ１の第１の実施形態における回路ブロック図である。図中、図１と同じ部分には同じ番号を付与した。
【００４４】
本実施形態における制御手段であるカメラ制御部７は、ＣＰＵ７０（中央処理装置）、ＲＡＭ７５，ＲＯＭ７６等から構成され、不揮発性の記憶部であるＲＯＭ７６に記憶されているプログラムをＲＡＭ７５に読み出し、当該プログラムに従ってレンズ鏡胴１００及びレンズ鏡胴のレンズ群を含むカメラ１の各部を集中制御する。
【００４５】
また、カメラ制御部７は、操作部６０に設けられたレリーズボタン１１２、ズームボタン１２２、メニュー／セットボタン１２３、選択ボタン１２４、再生ボタン１２６、ディスプレイボタン１２７、消去ボタン１２８、スライドバリア１１７等からの入力を受信してカメラ１全体を制御し、図示せぬ電源部を制御することでカメラ各部に電源を供給する。
【００４６】
カメラ制御部７は、撮影に関するシーケンスを司っている。カメラ制御部７は、ＣＣＤ駆動部６を介してＣＣＤ５の撮像動作を制御する。なお、本実施形態において撮像素子は、ＣＣＤに代えて、ＣＭＯＳセンサ、ＣＩＤセンサ等の固体撮像素子であってもよい。ＣＣＤ５にて取得されたアナログ信号の画像はＡ／Ｄ変換部２１にてノイズ除去の処理後デジタル信号に変換され、画像処理部２２に画像のデジタル信号を順次出力する。
【００４７】
画像処理部２２はガンマ補正、輪郭補正、画像の拡大、縮小、画像圧縮などの画像処理機能を有する。これらの画像処理もカメラ制御部７の指令により行われる。
【００４８】
カメラ制御部７はＣＣＤ５の画像出力を画像処理後、静止画ファイルまたは動画ファイルとして、画像メモリ２３に一旦記録する。次に、本発明の実施形態における蓄積制御手段である蓄積制御部７３は、画像メモリ２３に一時記録された画像ファイルをあらかじめ設定されたメモリカード２５、または接続された記録媒体に記録する。蓄積制御部７３がメモリーカード２５、または接続された記録媒体に記録するときの動作は、後で詳しく説明する。
【００４９】
撮影時において、カメラ制御部７はＣＣＤ５の画像出力から得られるピント情報と露出情報に基いて、ズームフォーカス駆動部３３２を制御して、レンズ群３２を駆動し、絞りシャッタ駆動部３３１を制御して、絞り３２を駆動する。
【００５０】
また、カメラ制御部７は、ＣＣＤ５によって撮像された画像のライブビューを、ディスプレイボタン１２７の設定に従って、画像表示部１２５に表示する。
【００５１】
本発明の実施形態における縮小画像再生出力手段である縮小画像再生部７７は、再生時において、メモリーカード２５、または接続された記録媒体に記録された画像の縮小画像ファイルを再生し、画像表示部１２７に一覧表示する。
【００５２】
また、本発明の実施形態における再生出力手段である再生出力部７８は、メモリーカード２５、または接続された記録媒体に記録された画像ファイルを再生画像として画像表示部１２７に表示する。
【００５３】
図３は、本発明の第１の実施形態において、メモリカード２５に記録される画像ファイルのディレクトリ構成を示す図である。図３において、４００はメモリーカード２５のＲｏｏｔディレクトリ、４０１はＲｏｏｔディレクトリに属し、第１の実施形態における第１の画像データ等を記録するためのＤＣＩＭディレクトリである。４０２はＤＣＩＭディレクトリの下位にあって画像等を記録するサブディレクトリである。４０３は本デジタルカメラで撮影した画像データを実際に記録した撮影画像ファイルである。４０４、４０５については後で説明する。
【００５４】
なお、撮影画像ファイル４０３に格納される画像データは、ＪＰＥＧ方式で圧縮されている。また、４０１から４０５までのディレクトリ構成は、ＤＣＦ規格で標準化されているものである。本発明の実施形態における第１の蓄積手段であるＤＣＦ蓄積部２１０は、メモリカード２５に記録されている４０１のＤＣＩＭディレクトリ以下のディレクトリであり、第１の画像データは、４０２のディレクトリの下位に記録された画像データである。
【００５５】
なお、４０２のディレクトリ名１００ＫＭ００１、および４０３、４０４、４０５のそれぞれのファイル名ＰＩＣＴ００１．ＪＰＧ、ＰＩＣＴ００２．ＬＮＫ、ＰＩＣＴ００３．ＴＨＭは、ＤＣＦ規格に則って蓄積制御部７３によって名付けられている。
【００５６】
４１１〜４１５は、動画像を記録するためのディレクトリ構成を示しており、このディレクトリ構成に係るファイルは、メモリカード２５に記録されるものである。図３において、４１１はＲｏｏｔディレクトリに属し、動画を記録するためのＳＤ＿ＶＩＤＥＯディレクトリ、４１２、４１４はＳＤ＿ＶＩＤＥＯディレクトリの下位にあって動画を記録するサブディレクトリである。４１３のＭＯＶ００１．ＡＳＦ、４１５のＭＯＶ００２．ＡＳＦはそれぞれデジタルカメラ１で撮影された動画である。ＭＯＶ００１、ＭＯＶ００２は撮影の順に付けられたファイル名であり、拡張子のＡＳＦ（Ａｄｖａｎｃｅｄ  Ｓｔｒｅａｍｉｎｇ  Ｆｏｒｍａｔ）はＡＳＦ規格に対応したファイル形式であることを表す。
【００５７】
なお、動画ファイル形式はＡＳＦに限定されるものではなく、ＱｕｉｃｋＴｉｍｅなど他の動画ファイル規格に対応したものでも良い。また、音声ファイル、文書ファイルなどでも良い。
【００５８】
また、４１１から４１５までのディレクトリ構成は、ＳＤ＿ＶＩＤＥＯ規格で標準化されているものである。本発明の実施形態における第２の蓄積手段であるＶＩＤＥＯ蓄積部２１１は、メモリカード２５に記録されている４１１のＳＤ＿ＶＩＤＥＯ以下のディレクトリであり、第２の画像データは、４１２、４１４のディレクトリの下位に記録された画像データである。
【００５９】
本発明に係わる撮像装置は、動画の位置情報をＤＣＦ規格のような動画向け以外の規格で画像記録するファイルに転送、蓄積することが可能である。動画の位置情報を蓄積する方法はたとえば次のように行われるものである。
【００６０】
図３に示す４０４のＰＩＣＴ００２．ＬＮＫは本発明の第１の実施形態における位置情報のファイルであり、蓄積制御部７３により４１３のＭＯＶ００１．ＡＳＦの位置情報が記録されている。図３の例では、蓄積制御部７３が、
￥ＳＤ＿ＶＩＤＥＯ￥ＰＲＧ００１￥ＭＯＶ００１．ＡＳＦ
という位置情報を文字情報としてＰＩＣＴ００２．ＬＮＫに記録している。
【００６１】
また、蓄積制御部７３は位置情報を記録する際に、位置情報のファイルと位置情報の示す画像データの同一性を確保するため、位置情報のファイルと画像データのファイルに同じＩＤ情報を記録する。たとえば、蓄積制御部７３は画像データの第１フレームの先頭６１バイトをＩＤ情報として、位置情報のファイルであるＰＩＣＴ００２．ＬＮＫと画像データであるＭＯＶ００１．ＡＳＦの一部に記録する。再生時にはＩＤ情報判定部７４が位置情報のファイルと画像データのファイルのＩＤ情報が一致するかどうか判定することにより、記録されている位置情報が示す画像データが、デジタルカメラ１で記録された画像データであるかどうか、を判定できる。
【００６２】
４０５のＰＩＣＴ００３．ＴＨＭは第１の実施形態における第２の画像データの位置情報とを含む縮小画像ファイルであり、蓄積制御部７３により動画である４１５のＭＯＶ００２．ＡＳＦの代表的な１コマの画像が縮小されて縮小画像ファイルになっている。位置情報は縮小画像ファイルのヘッダー部分に記録されている。図３の例では、蓄積制御部７３が、位置情報として
￥ＳＤ＿ＶＩＤＥＯ￥ＰＲＧ００２￥ＭＯＶ００２．ＡＳＦ
というＭＯＶ００２．ＡＳＦの格納されているディレクトリを文字情報としてＰＩＣＴ００３．ＴＨＭに記録している。同様に、蓄積制御部７３は位置情報を記録する際に、位置情報のファイルと画像データのファイルにＩＤ情報を記録している。
【００６３】
図４は、本発明に係る撮像装置として機能するデジタルカメラ１の第２の実施形態における回路ブロック図である。図中、図２と同じ部分には同番号を付し説明を省略する。
【００６４】
第２の実施形態ではデジタルカメラ１の外部出力端子１１６にハードディスク２１２を接続し、本発明における記録媒体として利用する。ハードディスク２１２は第２の実施形態における第２の蓄積手段である。
【００６５】
なお、記録媒体はハードディスクに限定されるものではなく、メモリーカードやネットワーク上のサーバーなどでも良い。また、デジタルカメラ１と記録媒体の接続手段は有線に限られるものではなく、無線であっても良い。
【００６６】
蓄積制御部７３はデジタルカメラ１で撮影した静止画ファイルをメモリカード２５の第２の実施形態における第１の蓄積手段であるＤＣＦ蓄積部２１０に記録し、デジタルカメラ１で撮影した動画ファイルを外部記録媒体であるハードディスク２１２に記録する。
【００６７】
図５は、本発明の第２の実施形態において、メモリカード２５とハードディスク２１２に記録される画像ファイルのディレクトリ構成を示す図である。
【００６８】
図５において、４３０はメモリーカード２５のＲｏｏｔディレクトリ、４３１はＲｏｏｔディレクトリに属し、第２の実施形態における第１の画像データ等を記録するためのＤＣＩＭディレクトリである。以下、図３と同様に、４３２はＤＣＩＭディレクトリの下位にあって画像等を記録するサブディレクトリである。４３３は本デジタルカメラで撮影した画像データを実際に記録した撮影画像ファイルである。４３４は本発明の実施形態における位置情報のファイル、４３５は第２の画像データの位置情報を含む縮小画像ファイルである。
【００６９】
４２０〜４２５は、ハードディスク２１２の動画像を記録するためのディレクトリ構成を示している。図５において、４２１はＲｏｏｔディレクトリに属し、動画を記録するためのＳＤ＿ＶＩＤＥＯディレクトリ、４２２、４２４はＳＤ＿ＶＩＤＥＯディレクトリの下位にあって動画を記録するサブディレクトリである。４２３のＭＯＶ００３．ＡＳＦ、４２５のＭＯＶ００４．ＡＳＦはそれぞれデジタルカメラ１で撮影された動画ファイルである。
【００７０】
図５の例でも図３と同様に、位置情報として蓄積制御部７３が、
￥ＲＯＯＴ２￥ＳＤ＿ＶＩＤＥＯ￥ＰＲＧ００１￥ＭＯＶ００３．ＡＳＦ
というＭＯＶ００３．ＡＳＦの格納されているディレクトリを文字情報としてＰＩＣＴ０１２．ＬＮＫに記録している。
【００７１】
また、ＰＩＣＴ０１３．ＴＨＭには
￥ＲＯＯＴ２￥ＳＤ＿ＶＩＤＥＯ￥ＰＲＧ００２￥ＭＯＶ００４．ＡＳＦ
というＭＯＶ００４．ＡＳＦの格納されているディレクトリが位置情報として記録されている。
【００７２】
このように第２の実施形態では動画ファイルを静止画ファイルとは別にハードディスク２１２に記録するが、その記録した場所の位置情報は静止画ファイルを記録するメモリカード２５に位置情報ファイルとして記録されている。
【００７３】
図６は、図１〜図５に示したデジタルカメラ１で行われる撮影時の処理の流れを示すフローチャートである。
【００７４】
図６においては、スライドバリア１１７を開いて、デジタルカメラ１の電源が投入されてからの処理について説明する。また、動画を記録するものとする。
【００７５】
撮影者は画像表示部１２５上に表示されるメニューから動画モードを設定する（ステップＳ１０１）。次に、撮影者は画像表示部１２５に表示されるプレビュー画像で撮影範囲を確認しながら、ズームスイッチ１２２を操作して所望とする画角を設定した後、レリーズボタン１１２を押すと、メインマイコン部７０は焦点調整と自動露出制御を行い、撮影を開始する。レリーズボタン１１２を離すと撮影は終了する（ステップＳ１０２）。
【００７６】
ＣＣＤ５からの画像出力はＡ／Ｄ変換部２１でデジタルデータに変換され、画像処理部２２ホワイトバランス補正、ガンマ補正、動画圧縮などの画像処理後、動画ファイルとして画像メモリ２３に一旦記録される（ステップＳ１０３）。蓄積制御部７３はＳＤ＿ＶＩＤＥＯ規格など規格に則って、前記動画ファイルにファイル名を付け、記録する位置を決定する（ステップＳ１０４）。なお、記録する媒体はあらかじめ撮影者によりメニュー画面から選択されているものとする。
【００７７】
次に、蓄積制御部７３は前記動画ファイルの第１フレームを読み出し、先頭６１バイトをＩＤ情報とし（ステップＳ１０５）、また前記第１フレームを縮小し、縮小画像ファイルを作成する（ステップＳ１０６）。なお、縮小時の縮小率が１倍、すなわち等倍の場合も含む。
【００７８】
次に、前記動画ファイルと前記縮小画像ファイルのヘッダー部分に前記ＩＤ情報を書き込む（ステップＳ１０７）。蓄積制御部７３は前記動画ファイルをメモリーカード２５のＶｉｄｅｏ蓄積部２１１またはハードディスク２１２に記録する（ステップＳ１０８）。また、蓄積制御部７３は前記縮小画像ファイルをＤＣＦ規格に則ってファイル名を付け、メモリーカード２５のＤＣＦ蓄積部２１０に記録する（ステップＳ１０９）。以上で動画の記録は終了である。
【００７９】
図７は、図１〜図５に示したデジタルカメラ１で行われる再生時の処理の流れを示すフローチャートである。
【００８０】
図７においては、スライドバリア１１７を開いて、デジタルカメラ１の電源が投入されてからの処理について説明する。また、動画を再生するものとする。
【００８１】
デジタルカメラ１の電源を投入し、操作者が再生ボタン１２６を押し、再生モードを設定する（ステップＳ２０１）。
【００８２】
操作者は画像表示部１２５に表示される縮小画像または位置情報ファイルの文字から所望の動画を選択ボタンで選択し（ステップＳ２０２）、本実施形態の指定手段であるメニュー／セットボタンで決定する（ステップＳ２０３）。再生出力部７８はステップＳ２０３で決定した縮小画像ファイルまたは位置情報ファイルから動画の位置情報を読みとる（ステップＳ２０４）。ＩＤ情報判定部７４は縮小画像ファイルまたは位置情報ファイルに含まれるＩＤ情報を読みとり（ステップＳ２０５）、位置情報で指定されている前記動画ファイルに含まれているＩＤ情報を読みとり（ステップＳ２０６）、比較判定する（ステップＳ２０７）。ＩＤ情報が一致する場合（ステップＳ２０７；Ｙｅｓ）、再生出力部７８は前記動画ファイルを再生し（ステップＳ２０８）、画像表示部１２５に表示する。ＩＤ情報が一致しない場合（ステップＳ２０７；Ｎｏ）、再生出力部７８は前記動画ファイルを再生せずに、画像表示部１２５に動画ファイルが異なっている旨の警告を表示する（ステップＳ２０９）。
【００８３】
以上のように本実施形態によれば、第２の画像データを第２の蓄積手段に蓄積する際に、第２の画像データを蓄積した位置を示す位置情報を第１の蓄積手段に蓄積するので、操作性の良い撮像装置を提供できる。
【００８４】
なお、本実施形態としてデジタルカメラを例示したが、デジタルカメラ機能付き携帯電話やビデオカメラなどにも適用可能である。
【図面の簡単な説明】
【００８５】
【図１】本発明に係るデジタルカメラの外観図である。
【図２】本発明の第１の実施形態における撮像装置として機能するデジタルカメラ１の回路ブロック図である。
【図３】本発明の第１の実施形態において、メモリカード２５に記録される画像ファイルのディレクトリ構成を示す図である。
【図４】本発明の第２の実施形態における撮像装置として機能するデジタルカメラ１の回路ブロック図である。
【図５】本発明の第２の実施形態において、メモリカード２５とハードディスク２１２に記録される画像ファイルのディレクトリ構成を示す図である。
【図６】本発明の第１及び第２の実施形態におけるデジタルカメラ１で行われる撮影時の処理の流れを示すフローチャートである。
【図７】本発明の第１及び第２の実施形態におけるデジタルカメラ１で行われる再生時の処理の流れを示すフローチャートである。
【符号の説明】
【００８６】
１  デジタルカメラ
２  カメラ本体部
５  ＣＣＤ
７  カメラ制御部
２５  メモリカード
７３  蓄積制御部
７４  ＩＤ情報判定部
７７  縮小画像再生部
７８  再生出力部
１００  撮影レンズ
２１０  ＤＣＦ蓄積部
２１１  Ｖｉｄｅｏ蓄積部
２１２  ハードディスク
【図１】
2007013392.tif 000003
【図２】
2007013392.tif 000004
【図３】
2007013392.tif 000005
【図４】
2007013392.tif 000006
【図５】
2007013392.tif 000007
【図６】
2007013392.tif 000008
【図７】
2007013392.tif 000009